(57)【要約】  穴開け要素を伴う第１の部品と、第２の部品とを有するキャップは、底部シールを伴うチャンバを有する。チャンバは、穴開け要素を受容するように構成される。穴開け要素は、第１および第２の部品の互いに対する回転時に、底部シールに穴を開ける。
2014527946.tif 000002
【特許請求の範囲】
【請求項１】
キャップであって、
穴開け要素を備える第１の部品と、
底部シールを伴うチャンバを備える第２の部品と、を備え、前記チャンバは、前記穴開け要素を受容するように構成され、前記穴開け要素は、前記第１および第２の部品の互いに対する回転時に、前記底部シールに穴を開ける、
キャップ。
【請求項２】
前記穴開け要素は、テーパー付きまたは角度付きの底部を備える、請求項１に記載のキャップ。
【請求項３】
前記底部シールは、テーパー付きまたは角度付きである、請求項１に記載のキャップ。
【請求項４】
前記穴開け要素および前記底部シールは、一致するテーパーまたは角度を有する、請求項１に記載のキャップ。
【請求項５】
前記第１の部品は、頂部片を備え、前記第２の部品は、底部片を備える、請求項１に記載のキャップ。
【請求項６】
前記第１および第２の部品の互いに対する回転を制限するように配設される、ロック維持具をさらに備える、請求項１に記載のキャップ。
【請求項７】
前記ロック維持特徴は、歯を備える、請求項６に記載のキャップ。
【請求項８】
ロック維持特徴をロック解除した後に、前記第２の部品に対する前記第１の部品の自由回転を限定するように構成される、構造要素をさらに備える、請求項１に記載のキャップ。
【請求項９】
前記穴開け要素は、前記底部シールの一部分だけに穴を開けるように配設される、請求項１に記載のキャップ。
【請求項１０】
前記底部シールはさらに、穴を開けるための脆弱な領域を備える、請求項１に記載のキャップ。
【請求項１１】
前記第２の部品はさらに、取り付けられた容器に対する前記第２の部品の回転を制限するように配設される、ロック維持特徴を備える、請求項１に記載のキャップ。
【請求項１２】
キャップであって、
その一方の端部でキャップされる、第１の中空部と、
その一方の端部を閉じる穿孔可能なシールを有し、前記第１の中空部をその中で摺動可能に受容し、前記穿孔可能なシールが、それらの間に閉鎖された貯蔵部を画定するように、前記キャップされた端部から軸方向反対側にある、第２の中空部と、
互いに対して回転可能に固定された前記２つの中空部を保持する、ロック維持具と、を備え、前記ロック維持具をロック解除することは、前記第１の中空部が、前記第２の中空部に対して回転することを可能にし、よって、前記第１の中空部のキャップされていない端部が、前記穿孔可能なシールを少なくとも部分的に押しのける、
キャップ。
【請求項１３】
前記第１の中空部の前記キャップされていない端部、および前記穿孔可能なシールは、同様のテーパーまたは角度を有する、請求項１２に記載のキャップ。
【請求項１４】
前記ロック維持特徴は、破壊可能な歯を備える、請求項１２に記載のキャップ。
【請求項１５】
前記第２の中空部を囲んで配置され、かつその外側に確実に取り付けられる、環状部をさらに備え、前記環状部には、前記第２の中空部に対する前記第１の中空部の回転時に、容器にねじ込み可能に係合し、前記容器内に前記穿孔可能なシールを配置するように、その内径を囲んで延在する、ねじ山が形成される、請求項１２に記載のキャップ。
【請求項１６】
互いに対して回転可能に固定された前記第２の中空部および容器を保持する、第２のロック維持具をさらに備え、前記ロック維持具をロック解除することは、前記第２の中空部が、前記容器に対して回転することを可能にする、請求項１５に記載のキャップ。
【請求項１７】
前記穿孔可能なシールはさらに、穿孔するための脆弱線を備える、請求項１２に記載のキャップ。
【請求項１８】
前記ロック維持特徴をロック解除した後に、前記第２の中空部に対する前記第１の中空部の自由回転を限定するように構成される、構造要素をさらに備える、請求項１２に記載のキャップ。
【請求項１９】
キャップを形成するための方法であって、
その外径上の第１の突出部および第１の陥凹部によってその一方の端部でキャップされる、第１の中空部を形成することと、
その一方の端部を閉じる穿孔可能なシールを有し、前記第１の中空部を摺動可能に受容することができ、前記穿孔可能なシールが、それらの間に閉鎖された貯蔵部を画定するように、前記キャップされた端部の軸方向反対側にある、第２の中空部を形成することと、
前記第２の中空部の内径を囲んで第２の突出部を形成することと、
前記第１の突出部をその中で受容するように、第２の陥凹部を形成することと、
前記２つの中空部の間に第１の環状空間を形成することと、
前記第２の突出部と前記第１の陥凹部との係合によって、前記第１の環状空間を密閉することと、
回転可能に固定された関係で前記２つの中空部を保持するように配置される、破壊可能な環状シールを形成することと、
前記第１の突出部を前記第２の陥凹部の中で受容し、前記第１の環状部の前記キャップされていない端部が回転によって前記穿孔可能なシールを押しのけるように、前記第１の中空部が、前記第２の中空部に対して回転することを可能にすることと、
それらの間に第２の環状空間を画定するように、前記第２の中空部を囲んで配置され、かつその外側に確実に取り付けられる、環状部を形成することと、
前記第２の中空部に対する前記第１の中空部の回転時に、前記第２の環状空間の中でボトル首部に係合し、前記ボトル内に前記穿孔可能なものを配置するように、第３の環状部の内径を囲んで延在する、ねじ山を形成することと、
を含む、キャップを形成するための方法。
【発明の詳細な説明】
【背景技術】
【０００１】
本出願は、２０１１年９月２日に出願された米国仮出願第６１／５３０，９０８号の利益を主張するものであり、参照によりその全体が本明細書に組み込まれる。
水、炭酸飲料、およびジュースを含む、ボトル入り飲料は、数十億ドル規模の世界的な産業である。そのような飲料の保管および販売のために使用される主要な容器は、プラスチックボトルである。プラスチックボトルは、低コスト、軽量性、使い易さ、および耐久性を含む、様々な要因のために、このように広く使用されるようになってきた。プラスチックボトルは、通常、その頂部がプラスチックキャップで閉じられ、通常はあるタイプの安全シールを伴う。キャップをねじるまたは反転させることによって取り外し、ボトル内部の飲料を露出させることができる。しばしば、そのようなキャップは、スポーツボトルキャップ等の可動弁を備え、該可動弁は、個人が、ボトルを密閉すること、および該可動弁をストローに類似する飲用の補助具として使用することを可能にする。
【０００２】
水溶性のドリンクミックスは、幅広く商業利用されている。しばしば、タブレットまたは粉末形態で、これらのミックスは、消費者が、単に水を加えるだけで飲料を作ることを可能にする。消費者は、飲料を作るために、水に対する指示量または所望量のミックスを計量する。狭い開口部を通して粉末を導入することが困難であるので、そのような混合は、よく見られるプラスチック製の水筒については実際的でない。これを屋内で（小さい漏斗を使用して）行うことはより容易であり得るが、旅行するとき、またはハイキング等の野外活動中は極めて困難である。さらに、そのような「屋外の」混合では、消費者は、ボトルとドリンクミックスとを別々に持ち運ぶ必要がある。また、水またはドリンクミックスの量を不正確に計量し易く、そのため濃過ぎたり薄過ぎたりする飲料を作ってしまう。
【０００３】
ビタミン、栄養素、および他のサプリメント等の飲料添加物を、水等の液体中に懸濁させると、不安定になることが当技術分野でよく知られている。そのような飲料添加物の効力は、水中で経時的に減少する。その結果、飲料製造業者は、消費時または期限切れ時に最小限の効力レベルを確保するために、余分なビタミン、栄養素、および他のサプリメントを加えることによって、そのような飲料を「過剰に強化」しなければならない。これは、飲料生産者に対してさらなる原材料費を生じさせ、飲料の保管寿命を大幅に短縮し、また、消費者にはそのような飲料の効力または栄養価の不確実さを残す。
【０００４】
飲料添加物のための保存貯蔵部を備えるボトルまたは容器の頂部の一般的概念は、当技術分野でよく知られている。当技術分野において、種々の手段が説明されてきた。しかしながら、いくつかは、１つ以上の望ましくない面があり得る。
【発明の概要】
【０００５】
本明細書で説明される技術の態様は、キャップに関し、該キャップは、好ましくは、穴開け要素を含む第１の部品と、底部シールを伴うチャンバとを含む第２の部品とを含み、チャンバは、穴開け要素を受容するように構成され、穴開け要素は、第１および第２の部品の互いに対する回転時に、底部シールに穴を開ける。
【０００６】
本明細書で説明される技術の別の態様は、キャップに関し、該キャップは、その一方の端部でキャップされる、第１の中空部と、その一方の端部を閉じる穿孔可能なシールを有し、第１の中空部をその中で摺動可能に受容し、穿孔可能なシールが、それらの間に閉鎖された貯蔵部を画定するように、キャップされた端部の軸方向反対側にある、第２の中空部と、互いに対して回転可能に固定された関係で２つの中空部を保持する、ロック維持具と、を備え、ロック維持具のロック解除時に、第１の中空部が、第２の中空部に対して回転することを可能にし、ロック手段の係合を可能にし、よって、第１の中空部のキャップされていない端部が、穿孔可能なシールを少なくとも部分的に押しのけることを可能にする。
【０００７】
本明細書で説明される技術の別の態様は、キャップを形成するための方法に関し、該方法は、その外径上の第１の突出部および第１の陥凹部によってその一方の端部でキャップされる、第１の中空部を形成することと、その一方の端部を閉じる穿孔可能なシールを有し、第１の中空部をその中で摺動可能に受容することができ、穿孔可能なシールが、それらの間に閉鎖された貯蔵部を画定するように、キャップされた端部の軸方向反対側にある、第２の中空部を形成することと、第２の中空部の内径を囲んで第２の突出部を形成することと、第１の突出部をその中で受容するように、第２の陥凹部を形成することと、２つの中空部の間に第１の環状空間を形成することと、第２の突出部と第１の陥凹部との係合によって、第１の環状空間を密閉することと、回転可能に固定された関係で２つの中空部を保持するように配置される、破壊可能な環状シールを形成することと、第１の突出部を第２の陥凹部の中で受容し、第１の環状部のキャップされていない端部が回転によって穿孔可能なシールを押しのけるように、第１の中空部が、第２の中空部に対して回転することを可能にすることと、それらの間に第２の環状空間を画定するように、第２の中空部を囲んで配置され、かつその外側に確実に取り付けられる、環状部を形成することと、第２の中空部に対する第１の中空部の回転時に、第２の環状空間の中でボトル首部に係合し、ボトル内に穿孔可能なものを配置するように、第３の環状部の内径を囲んで延在する、ねじ山を形成することと、を含む。
【図面の簡単な説明】
【０００８】
【図１Ａ】キャップの２つの部分片を描写する、本技術の態様の断面分解図である。
【０００９】
【図１Ｂ】キャップの２つの部分片を描写する、本技術の態様の外部分解斜視図である。
【００１０】
【図１Ｃ】ともに連結されたキャップの２つの部分片を描写する、本技術の態様の外部斜視図である。
【００１１】
【図１Ｄ】ともに連結されたキャップの２つの部分片を描写する、本技術の態様の閉じた断面斜視図である。
【００１２】
【図２Ａ】飲料添加物をボトルの中へ放出するための機構が係合する前の、ボトルの頂部に配置された、ともに連結されたキャップの２つの部分片を描写する、本技術の態様の断面図である。
【００１３】
【図２Ｂ】飲料添加物をボトルの中へ放出するための機構の係合を描写する、本技術の態様の断面図である。
【００１４】
【図２Ｃ】飲料添加物をボトルの中へ放出するための機構が係合した、本技術の態様の断面図である。
【００１５】
【図３】ロック維持特徴を含むキャップの頂部を描写する、本技術の態様の外部斜視図である。
【発明を実施するための形態】
【００１６】
本技術は、キャップに関する、キャップを作製するための装置、システム、および方法に関する。各装置、システム、および方法は、任意の組み合わせで１つ以上の実施形態を含み得る。任意の実施形態の特徴は、任意の他の実施形態と組み合わせて使用され得る。さらに、「頂部」および「底部」という用語の使用は、任意の要素（複数可）の方向を限定することを意図するのではなく、議論の便宜のためだけに使用される。
【００１７】
本技術の実施形態は、貯蔵部付きキャップとも称され得る、貯蔵区画付きボトルキャップに関する。図１Ａ〜１Ｄで図示されるように、ボトルキャップは、好ましくは、ともにインターロック的に嵌合するように構成される、第１の部品７０および第２の部品５で構成される。第１の部品７０および第２の部品５は、中空であり得る。図１Ａで示されるように、第１の部品７０は頂部片７０であり得、第２の部品５は、底部片５であり得る。底部片５は、頂部片７０を受容するためのチャンバ１６、底部シール２５（穿孔可能なシール２５とも称される）、ねじ蓋付き容器に固定するための表面、ねじ蓋付きシール、および／またはロックシールを含み得る。頂部片７０は、飲料添加物を受容し、保存するための、第１の中空部または貯蔵部１０を含み得る。頂部片７０の貯蔵部１０は、貯蔵部１０が、シールを破壊するための穴開け要素７５として機能することを可能にする形状のものであり得る。どちらの部分片も、飲料添加物を劣化させるあらゆる光を遮断することができる、不透明材料で構成され得る。２つの部分片がともに嵌合すると、熱、湿気、空気、および他の環境要因による飲料添加物の劣化を防止するための、複数のシールを形成し得る。シールはさらに、ボトルの中の流体が飲料添加物と時期尚早に混ざってしまうことを防ぐ。どちらの部分片も、射出成形または類似したプロセスを通して、プラスチック等の材料から製造され得る。本明細書の利益を達成するために、ポリマー樹脂、紙、ガラス、ゴム、シリカ、カーボン、金属、またはこれらの材料（プラスチックを含む）の組み合わせが挙げられるが、それらに限定されない、他の材料が利用され得る。
【００１８】
いくつかの実施形態において、穴開け部材７５および底部シール２５は、頂部片７０および底部片５を互いに対して回転させることで、穴開け部材７５に、底部シール２５の少なくとも一部（またはいくつかの実施形態では、全部）に穴を開けさせるように構成される。したがって、頂部片７０を底部片５の中へ押し込むことを必要とすることなく、穴開け要素７５の単純な回転またはねじる運動によって、底部シール２５に穴が開けられ得る。そのようなキャップの１つの利点は、底部シール２５の時期尚早の破壊を生じさせる穴開け要素７５の下方への動きを防止するために、頂部片と底部片５との間にいかなる追加の空間分離器も必要としないことである。これは、使用する材料の量を低減させることができ、また、穴開け要素７５が底部シール２５を破壊するように頂部片７０を押し込む前に、空間分離器を除去する追加のステップを省くこともできる。
【００１９】
図２Ａで図示されるように、いくつかの実施形態において、穴開け部材７５は、頂部片７０および底部片５を互いに対してねじる前に底部シール２５のどこかより下側に延在するのではなく、図２Ｂおよび２Ｃで示されるように、ねじった後に底部シール２５の少なくとも一部分より下側に延在するように、成形または配設され得る。例えば、穴開け要素７５および底部シール２５は、穴開け要素７５および底部シール２５が、ねじる前に、対応または一致するテーパーまたは角度を有するように、それらのそれぞれの側壁が類似した形状を有するように構成され得る。例えば、底部シール２５は、その側壁の形状に基づくテーパー／角度、すなわち、その側壁の形状に基づく穴開け要素７５のテーパー／角度に類似または一致する、テーパー／角度を有することができる。底部片５に対して頂部片７０を回転させる、またはねじることは、穴開け要素７５の側壁（例えば、穴開け要素７５の長い方の側壁）のある部分を、底部シール２５の少なくとも一部分より下側に延在させ、それによって、該底部シールに穴を開ける。他の実施形態では、穴開け要素７５および底部シール２５のテーパーまたは角度が同じでない場合があるが、それでも、穴開け要素７５の回転は、穴開け要素７５の少なくとも一部分に、底部シール２５に穴を開けさせる。
【００２０】
回転／ねじるキャップを使用する代替の穴開け技術も同様に使用され得る。加えて、底部シール２５に対する穴開け要素７５のテーパーおよび角度は、変動し得、本明細書で描写される実施形態または実施例に限定されない。頂部片７０／穴開け要素７５を回転させるまたはねじるときに、穴開け要素７５が底部シール２５に穴を開ける、任意の構造、方法、および／またはシステムが考察される。
【００２１】
図３で図示されるように、頂部片７０と底部片５との間の接合面は、ロック維持具５５等のロック機構であり得、該機構は、相互にロックされた頂部片７０および底部片５が、力の印加がない状態で、またはねじる／回転させる前に、互いに対して不測に動いてしまうことを防止する。例えば、ロック維持特徴は、ユーザがねじる運動を適用してロック機構を破壊または解除するまで、頂部片７０および底部片５が、互いに対して回転することを防止し得、その後、頂部片および底部片５は、もはやロック機構によってともにロックされない。回転またはねじる運動は、どちらのキャップにも適用され得る。
【００２２】
いくつかの実施形態において、ロック機構は、頂部片および底部片５を相互に接続し、それによって、それらの互いに対する自由回転を防止する、１つ以上の解除可能または破壊可能な「歯」を含み得る。十分なねじり力の印加時に、１つ以上の「歯」が解除または破壊され、よって、ロック機構は、もはや頂部片７０および底部片５が互いに対して回転することを防止しない。
【００２３】
いくつかの実施形態において、底部シール２５は、脆弱線を必要としない。換言すれば、底部シール２５は、その全体にわたって比較的一様な強度／材料を有し得るが、それでも、中空の穴開け要素７５によって穴が開けられ得る。
【００２４】
図１Ａで示されるように、いくつかの実施形態において、頂部片７０は、異なる長さの第１の側壁１２および第２の側壁１４を含み、それによって、穴開け要素７５の底部にテーパー付きまたは角度付きの円形エッジ１００を作成する。例えば、図１Ａで表される頂部片７０は、頂部片７０の断面図を表し、図１Ｂは、頂部片７０の外観図を描写する。頂部片７０は、外壁８０によって形成される中空の穴開け要素７５を備え、穴開け要素７５の底部に角度付きの円形エッジ１００を有する。角度付きの円形エッジ１００は、例えば、頂部片７０のねじる運動によってロック維持具５５が解除または破壊され、底部片５に対して頂部片７０が回転するときに、角度付きの円形エッジ１００が底部シール２５を破壊し、底部シール２５に少なくとも部分的に（または全体的に）穴を開け、開口する程度の傾斜角度である。
【００２５】
いくつかの実施形態では、穴開け要素７５および底部シール２５の双方のテーパー／形状のため、頂部片および底部片を互いに対して完全に回転させても、底部シール２５を、底部分から完全に分離させない。このような実施形態において、穴開け要素７５は、底部シール２５に一致するテーパーのため、その初期位置に接近するにつれて、もはや底部シール２５より下側に延在しない。したがって、穴開け要素７５は、その初期位置に接近するにつれて、底部シール２５のその部分に穴を開けない。これは、底部シール２５が、底部分に少なくとも部分的に取り付けられたままであることを可能にし、それによって、該底部シールが、容器の中へ落下するのを防止する。
【００２６】
底部シール２５を破壊するのに必要な回転量またはねじる量は、変動させることができ、いかなる形であれ特定量に限定されない。例えば、シールを破壊する回転は、９０度、１８０度、または３４０度であり得る。あるいは、シールを破壊する回転は、１度から３６０度までのいずれかとすることができる。
【００２７】
いくつかの実施形態において、ロック機構を解除した後の回転量は、頂部片および／または底部片５上の別の構造的特徴によって限定され得る。そのような構造は、ロック機構を解除した後であっても、ある量を超えた後に、底部片５に対する頂部片７０の回転を抑制し得る。他の実施形態では、いかなるそのような回転を限定する構造も存在しないか、または必要とされないので、頂部片および底部片５は、ロック機構を解除した後に、互いに対して自由に回転し得る。
【００２８】
いくつかの実施形態において、底部片５はまた、それが接続され得る容器に対する底部片５の不測の回転を防止するための、ロック維持具６５等の、別個のロック機構も含む。このロック維持具５５機構はまた、前に説明した１つ以上の「歯」も含み得る。容器に対する底部片５の回転時に、ロック維持機構５５は、例えば「歯」を破壊または解除することによって、解除され、それによって、容器に対する底部片５の自由回転を可能にする。
【００２９】
いくつかの実施形態において、底部片５はさらに、リングまたはねじ山３５によって、ボトルキャップ１をボトル１６０にねじ止めすることを可能にする、外壁または突出部４８を備える。頂部片７０はまた、突出部１８も備えることができる。
【００３０】
いくつかの実施形態は、
【００３１】
キャップであって、
【００３２】
穴開け要素を備える第１の部品と、
【００３３】
底部シールを伴うチャンバを備える第２の部品と、を備え、該チャンバは、該穴開け要素を受容するように構成され、該穴開け要素は、該第１および第２の部品の互いに対する回転時に、該底部シールに穴を開ける、キャップを含む。
【００３４】
穴開け要素は、テーパー付きまたは角度付きの底部を備え得る。
【００３５】
底部シールは、テーパー付きまたは角度付きであり得る。
【００３６】
穴開け要素および該底部シールは、同じテーパーまたは角度を有し得る。
【００３７】
キャップはさらに、該第１および第２の部品の互いに対する回転を制限するように配設される、ロック維持具を備え得る。
【００３８】
ロック維持特徴は、歯を備え得る。
【００３９】
キャップはさらに、該ロック維持特徴をロック解除した後に、第２の部品に対する第１の部品の自由回転を限定するように構成される、構造要素を備え得る。
【００４０】
穴開け要素は、該底部シールの一部分だけに穴を開けるように配設され得る。
【００４１】
底部シールはさらに、穴を開けるための脆弱な領域を備え得る。
【００４２】
第２の部品はさらに、取り付けられた容器に対する該第２の部品の回転を制限するように配設される、ロック維持特徴を備え得る。
【００４３】
いくつかの実施形態は、キャップであって、
【００４４】
その一方の端部でキャップされ、その外径上に第１の突出部および第１の陥凹部上が形成される、第１の中空部と、
【００４５】
その一方の端部を閉じる穿孔可能なシールを有し、第１の中空部をその中で摺動可能に受容し、穿孔可能なシールが、それらの間に閉鎖された貯蔵部を画定するように、キャップされた端部から軸方向反対側にある、第２の中空部と、を備え、
【００４６】
第２の中空部にはさらに、その内径を囲む、第２の突出部、および第１の突出部をその中で受容する、第２の陥凹部が形成され、２つの中空部は、第１の中空部の外径上での第１の陥凹部に対する第２の突出部の係合によってそれらの間で密閉される、第１の環状空間を画定し、また、それらの間に第２の環状空間を画定するように、第２の中空部を囲んで配置され、かつその外側に確実に取り付けられる、環状部であって、環状部には、第２の中空部に対する第１の中空部の回転時に、第２の環状空間の中でボトル首部にねじ込み可能に係合し、ボトル内に穿孔可能なシールを配置するように、その内径を囲んで延在する、ねじ山が形成される、環状部と、を備える、キャップを含む。
【００４７】
いくつかの実施形態は、
【００４８】
キャップであって、
【００４９】
その一方の端部でキャップされる、第１の中空部と、
【００５０】
その一方の端部を閉じる穿孔可能なシールを有し、第１の中空部をその中で摺動可能に受容し、穿孔可能なシールが、それらの間に閉鎖された貯蔵部を画定するように、キャップされた端部から軸方向反対側にある、第２の中空部と、
【００５１】
回転可能に固定された関係で２つの中空部を保持する、ロック維持具であって、ロック維持具のロック解除時に、第１の中空部が、第２の中空部に対して回転することを可能にして、ロック手段および第１の中空部のキャップされていない端部の係合が、穿孔可能なシールを押しのけることを可能にする、ロック維持具と、それらの間に第１の環状空間を画定するように、第２の中空部を囲んで配置され、その外側に確実に取り付けられる、環状部と、を備え、環状部には、第２の中空部に対する第１の中空部の回転時に、第２の環状空間の中でボトル首部にねじ込み可能に係合し、ボトル内に穿孔可能なシールを配置するように、その内径を囲んで延在する、ねじ山が形成される、キャップを含む。
【００５２】
いくつかの実施形態は、キャップであって、
【００５３】
その一方の端部でキャップされ、かつその外径を囲んで第１の陥凹部が形成される、第１の中空部と、
【００５４】
その一方の端部を閉じる穿孔可能なシールを有し、第１の中空部をその中で摺動可能に受容し、穿孔可能なシールが、それらの間に閉鎖された貯蔵部を画定するように、キャップされた端部から軸方向反対側にある、第２の中空部と、を備え、
【００５５】
第２の中空部にはさらに、その内径を囲む、第２の突出部が形成され、２つの中空部は、第１の中空部の外径上での第１の陥凹部に対する第２の突出部の係合によってそれらの間で密閉される、第１の環状空間を画定し、また、
【００５６】
回転可能に固定された関係で２つの中空部を保持する、破壊可能な環状シールであって、破壊可能な環状シールの破壊時に、第１の中空部が、第１の中空部のキャップされていない端部について、第２の中空部に対して回転することを可能にして、穿孔可能なシールを押しのける、破壊可能な環状シールと、それらの間に第２の環状空間を画定するように、第２の中空部を囲んで配置され、かつその外側に確実に取り付けられる、環状部であって、環状部には、第２の中空部に対する第１の中空部の回転時に、第２の環状空間の中でボトル首部にねじ込み可能に係合し、ボトル内に穿孔可能なシールを配置するように、その内径を囲んで延在する、ねじ山が形成される、環状部と、を備える、キャップを含む。
【００５７】
いくつかの実施形態は、
【００５８】
キャップを形成するための方法であって、
【００５９】
その外径上の第１の突出部および第１の陥凹部によってその一方の端部でキャップされる、第１の中空部を形成するステップと、その一方の端部を閉じる穿孔可能なシールを有し、第１の中空部をその中で摺動可能に受容することができ、穿孔可能なシールが、それらの間に閉鎖された貯蔵部を画定するように、キャップされた端部から軸方向反対側にある、第２の中空部を形成するステップと、
【００６０】
第２の中空部の内径を囲んで第２の突出部を形成するステップと、第１の突出部をその中で受容するように、第２の陥凹部を形成するステップと、
【００６１】
２つの中空部の間に第１の環状空間を形成するステップと、
【００６２】
第２の突出部と第１の陥凹部との係合によって、該第１の環状空間を密閉するステップと、
【００６３】
回転可能に固定された関係で２つの中空部を保持するように配置される、破壊可能な環状シールを形成するステップと、
【００６４】
第１の突出部を第２の陥凹部の中で受容し、第１の環状部のキャップされていない端部が回転によって穿孔可能なシールを押しのけるように、第１の中空部が、第２の中空部に対して回転することを可能にするステップと、
【００６５】
それらの間に第２の環状空間を画定するように、第２の中空部を囲んで配置され、かつその外側に確実に取り付けられる、環状部を形成するステップと、
【００６６】
第２の中空部に対する第１の中空部の回転時に、第２の環状空間の中でボトル首部に係合し、ボトル内に穿孔可能なものを配置するように、第３の環状部の内径を囲んで延在する、ねじ山を形成するステップと、を含む、キャップを形成するための方法を含む。
【００６７】
いくつかの実施形態は、
【００６８】
キャップであって、
【００６９】
その一方の端部でキャップされる、第１の中空部と、
【００７０】
その一方の端部を閉じる穿孔可能なシールを有し、第１の中空部をその中で摺動可能に受容し、穿孔可能なシールが、それらの間に閉鎖された貯蔵部を画定するように、キャップされた端部から軸方向反対側にある、第２の中空部と、
【００７１】
互いに対して回転可能に固定された２つの中空部を保持する、ロック維持具と、を備え、ロック維持具をロック解除することは、第１の中空部が、第２の中空部に対して回転することを可能にし、よって、第１の中空部のキャップされていない端部が、穿孔可能なシールを少なくとも部分的に押しのける、キャップを含む。
【００７２】
キャップの、第１の中空部のキャップされていない端部および該穿孔可能なシールは、同様のテーパーまたは角度を有することができる。
【００７３】
ロック維持特徴は、破壊可能な歯を備えることができる。
【００７４】
キャップはさらに、第２の中空部を囲んで配置され、かつその外側に確実に取り付けられる、環状部を備えることができ、環状部には、第２の中空部に対する第１の中空部の回転時に、容器にねじ込み可能に係合し、容器内に穿孔可能なシールを配置するように、その内径を囲んで延在する、ねじ山が形成される。
【００７５】
キャップはさらに、互いに対して回転可能に固定された第２の中空部および容器を保持する、第２のロック維持具を備えることができ、ロック維持具をロック解除することは、第２の中空部が、容器に対して回転することを可能にする。
【００７６】
穿孔可能なシールはさらに、穿孔するための脆弱線を備えることができる。
【００７７】
キャップはさらに、該ロック維持特徴をロック解除した後に、第２の中空部に対する第１の中空部の自由回転を限定するように構成される、構造要素を備えることができる。
【００７８】
いくつかの実施形態は、以下の概念のうちの１つ以上を含む。
【００７９】
概念１。キャップであって、
【００８０】
穴開け要素を備える、第１の部品と、
【００８１】
底部シールを伴うチャンバを備える第２の部品と、を備え、該チャンバは、該穴開け要素を受容するように構成され、該穴開け要素は、該第１および第２の部品の互いに対する回転時に、前記底部シールに穴を開ける、
キャップ。
【００８２】
概念２。該穴開け要素は、テーパー付きまたは角度付きの底部を備える、先行する概念のいずれかに記載のキャップ。
【００８３】
概念３。該底部シールは、テーパー付きまたは角度付きである、先行する概念のいずれかに記載のキャップ。
【００８４】
概念４。該穴開け要素および該底部シールは、一致するテーパーまたは角度を有する、先行する概念のいずれかに記載のキャップ。
【００８５】
概念５。該第１の部品は、頂部片を備え、該第２の部品は、底部片を備える、先行する概念のいずれかに記載のキャップ。
【００８６】
概念６。該第１および第２の部品の互いに対する回転を制限するように配設される、ロック維持具をさらに備える、先行する概念のいずれかに記載のキャップ。
【００８７】
概念７。該ロック維持特徴は、歯を備える、概念６に記載のキャップ。
【００８８】
概念８。ロック維持特徴をロック解除した後に、第２の部品に対する第１の部品の自由回転を限定するように構成される、構造要素をさらに備える、先行する概念のいずれかに記載のキャップ。
【００８９】
概念９。該穴開け要素は、該底部シールの一部分だけに穴を開けるように配設される、先行する概念のいずれかに記載のキャップ。
【００９０】
概念１０。該底部シールはさらに、穴を開けるための脆弱な領域を備える、先行する概念のいずれかに記載のキャップ。
【００９１】
概念１１。該第２の部品はさらに、取り付けられた容器に対する該第２の部品の回転を制限するように配設される、ロック維持特徴を備える、先行する概念のいずれかに記載のキャップ。
【００９２】
概念１２。キャップであって、
【００９３】
その一方の端部でキャップされる、第１の中空部と、
【００９４】
その一方の端部を閉じる穿孔可能なシールを有し、第１の中空部をその中で摺動可能に受容し、穿孔可能なシールが、それらの間に閉鎖された貯蔵部を画定するように、キャップされた端部から軸方向反対側にある、第２の中空部と、
【００９５】
互いに対して回転可能に固定された２つの中空部を保持する、ロック維持具と、を備え、ロック維持具をロック解除することは、第１の中空部が、第２の中空部に対して回転することを可能にし、よって、第１の中空部のキャップされていない端部が、穿孔可能なシールを少なくとも部分的に押しのける、
キャップ。
【００９６】
概念１３。第１の中空部の該キャップされていない端部、および該穿孔可能なシールは、同様のテーパーまたは角度を有する、先行する概念のいずれかに記載のキャップ。
【００９７】
概念１４。該ロック維持特徴は、破壊可能な歯を備える、先行する概念のいずれかに記載のキャップ。
【００９８】
概念１５。第２の中空部を囲んで配置され、かつその外側に確実に取り付けられる、環状部をさらに備え、環状部には、第２の中空部に対する第１の中空部の回転時に、容器にねじ込み可能に係合し、容器内に穿孔可能なシールを配置するように、その内径を囲んで延在する、ねじ山が形成される、先行する概念のいずれかに記載のキャップ。
【００９９】
概念１６。互いに対して回転可能に固定された第２の中空部および容器を保持する、第２のロック維持具をさらに備え、ロック維持具をロック解除することは、第２の中空部が、容器に対して回転することを可能にする、概要１５に記載のキャップ。
【０１００】
概念１７。該穿孔可能なシールはさらに、穿孔するための脆弱線を備える、先行する概念のいずれかに記載のキャップ。
【０１０１】
概念１８。該ロック維持特徴をロック解除した後に、第２の中空部に対する第１の中空部の自由回転を限定するように構成される、構造要素をさらに備える、先行する概念のいずれかに記載のキャップ。
【０１０２】
概念１９。キャップを形成するための方法であって、
【０１０３】
その外径上の第１の突出部および第１の陥凹部によってその一方の端部でキャップされる、第１の中空部を形成することと、
【０１０４】
その一方の端部を閉じる穿孔可能なシールを有し、第１の中空部をその中で摺動可能に受容することができ、穿孔可能なシールが、それらの間に閉鎖された貯蔵部を画定するように、キャップされた端部から軸方向反対側にある、第２の中空部を形成することと、
【０１０５】
第２の中空部の内径を囲んで第２の突出部を形成することと、
第１の突出部をその中で受容するように、第２の陥凹部を形成することと、
【０１０６】
２つの中空部の間に第１の環状空間を形成することと、
【０１０７】
第２の突出部と第１の陥凹部との係合によって、該第１の環状空間を密閉することと、
【０１０８】
回転可能に固定された関係で２つの中空部を保持するように配置される、破壊可能な環状シールを形成することと、
【０１０９】
第１の突出部を第２の陥凹部の中で受容し、第１の環状部のキャップされていない端部が回転によって穿孔可能なシールを押しのけるように、第１の中空部が、第２の中空部に対して回転することを可能にすることと、
【０１１０】
それらの間に第２の環状空間を画定するように、第２の中空部を囲んで配置され、かつその外側に確実に取り付けられる、環状部を形成することと、
【０１１１】
第２の中空部に対する第１の中空部の回転時に、第２の環状空間の中でボトル首部に係合し、ボトル内に穿孔可能なものを配置するように、第３の環状部の内径を囲んで延在する、ねじ山を形成することと、
を含む、キャップを形成するための方法。
【０１１２】
本明細書で特定の特徴を説明してきたが、数多くの他の特徴が考察され、本開示の範囲の範囲内にある。
【０１１３】
ここに説明された全ての要素、部分、およびステップは、好ましく包含されるものである。当業者には明らかであるように、これらの要素、部分、およびステップのいずれかは、他の要素、部品、およびステップと置き換えられ得るか、または完全に削除され得ることを理解されたい。
【図１】
2014527946.tif 000003
【図２】
2014527946.tif 000004
【図３】
2014527946.tif 000005
【国際調査報告】
2014527946.tif 000006
2014527946.tif 000007